(57)【要約】【課題】簡単な構成で、ユーザの操作を検知することができる検知装置を提供する。【解決手段】本開示における検知装置は、タッチパネルと、前記タッチパネルを支持する脚部と、前記脚部に設けられた接続電極と、前記接続電極に対向して設けられた検知電極と、制御部と、前記制御部と前記接続電極とを電気的に接続する電線と、を備え、前記制御部は、前記タッチパネルと前記検知電極との信号を基にユーザの操作を検知する検知部を備える。【選択図】図２
2019191632.tif 000002
【特許請求の範囲】
【請求項１】
タッチパネルと、
前記タッチパネルを支持する脚部と、
前記脚部に設けられた接続電極と、
前記接続電極に対向して設けられた検知電極と、
制御部と、
前記制御部と前記接続電極とを電気的に接続する電線と、を備え、
前記制御部は、前記タッチパネルと前記検知電極との信号を基にユーザの操作を検知する、
電子機器。
【請求項２】
前記接続電極と前記検知電極は容量結合された、
請求項１に記載の電子機器。
【請求項３】
前記電線は前記脚部に沿って設けられた、
請求項１または２に記載の電子機器。
【請求項４】
前記接続電極は、前記脚部の底面に設けられた、
請求項１〜３のいずれか１項に記載の電子機器。
【請求項５】
前記接続電極は前記検知電極上に載置された、
請求項４のいずれか１項に記載の電子機器。
【請求項６】
前記検知電極は、マットに備えられた、
請求項１〜５のいずれか１項に記載の電子機器。
【請求項７】
前記脚部を前記検知電極と同じ数だけ備える、
請求項６に記載の電子機器。
【請求項８】
前記検知電極を複数備え、
複数の前記検知電極は１枚のマットに備えられた、
請求項６〜７のいずれか１項に記載の電子機器。
【請求項９】
前記接続電極および前記検知電極の少なくとも一方は絶縁体で覆われている、
請求項１〜８のいずれか１項に記載の電子機器。
【請求項１０】
前記接続電極および前記検知電極は絶縁体で覆われている、
請求項１〜９のいずれか１項に記載の電子機器。
【発明の詳細な説明】
【技術分野】
【０００１】
本開示は、タッチパネル等を利用した検知装置に関する。
【背景技術】
【０００２】
特許文献１は、複数のアンテナを表面に配置してそれぞれのアンテナから一意に識別可能な信号を送信し、ユーザを介してその識別可能な信号を受信することで、ユーザの特定とタッチ位置を結びつけることができるシステムが開示されている。
【先行技術文献】
【特許文献】
【０００３】
【特許文献１】特開２００３−２２１５８号公報
【発明の概要】
【発明が解決しようとする課題】
【０００４】
本開示は、設置や移動が簡単な構成で、ユーザの操作を検知することができる電子機器を提供することを目的とする。
【課題を解決するための手段】
【０００５】
本開示における検知装置は、タッチパネルと、前記タッチパネルを支持する脚部と、前記脚部に設けられた接続電極と、前記接続電極に対向して設けられた検知電極と、制御部と、前記制御部と前記接続電極とを電気的に接続する電線と、を備え、前記制御部は、前記タッチパネルと前記検知電極との信号を基にユーザの操作を検知する、電子機器である。
【発明の効果】
【０００６】
本開示における電子機器は、設置や移動が簡単な構成で、ユーザの操作を検知することができる。
【図面の簡単な説明】
【０００７】
【図１Ａ】図１Ａは、実施の形態１におけるユーザ検知装置の外観図である。
【図１Ｂ】図１Ｂは、実施の形態１におけるユーザ検知装置の外観図である。
【図１Ｃ】図１Ｃは、実施の形態１におけるテーブル１ａの脚部１ｃと、マット１ｂとの接続方法の一例を示す図である。
【図２】図２は、実施の形態１におけるユーザ検知装置のブロック図である。
【図３Ａ】図３Ａは、実施の形態１におけるユーザ検知装置の詳細図である。
【図３Ｂ】図３Ｂは、マット電極８がＴｘ側（図では一例としてＴｘ８）に接続された場合の実施の形態１におけるユーザ検知装置の模式図である。
【図３Ｃ】図３Ｃは、マット電極８がＴｘ側（図では一例としてＴｘ８）に接続された場合の実施の形態１におけるユーザ検知装置の回路図である。
【図３Ｄ】図３Ｄは、マット電極８がＲｘ側（図では一例としてＲｘ９）に接続された場合の実施の形態１におけるユーザ検知装置の模式図である。
【図４】図４は、実施の形態１における２人のユーザの位置とタッチ操作との関係を示した図である。
【図５】図５は、実施の形態１におけるユーザ検知装置の動作タイミング図である。
【図６】図６は、実施の形態１におけるユーザ検知装置の受信データのイメージ図である。
【図７】図７は、実施の形態１における１人のユーザの位置とタッチ操作との関係を示した図である。
【図８】図８は、実施の形態１におけるユーザ検知装置の受信データのイメージ図である。
【図９】図９は、実施の形態２におけるユーザ検知装置の外観図である。
【図１０】図１０は、実施の形態２におけるマット１ｂの外観図である。
【図１１】図１１は、他の実施の形態におけるユーザ検知装置の外観図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
［１−１．概要］
実施の形態１のユーザ検知装置は、タッチパネルを用いる。ユーザ検知装置は、例えばユーザＡおよびユーザＢがそれぞれタッチパネルをタッチする場合に、それぞれがタッチしているタッチパネル上の位置と、ユーザＡおよびユーザＢのそれぞれの位置とを関連付けてこれらの位置を検知する。以下、ユーザがタッチしているタッチパネル上の位置をタッチ位置という。また、ユーザの位置をユーザ位置という。ユーザＡおよびユーザＢのユーザ位置は、タッチ位置を検知するシステムの一部を用いて検知する。
【００１１】
すなわち実施の形態１のユーザ検知装置は、タッチパネルの簡単な構成を用いて、ユーザＡおよびユーザＢの操作に関する情報（タッチ位置とユーザ位置）を算出できる。
【００１２】
以下、図１Ａ〜図８を用いて、実施の形態１を説明する。
【００１３】
［１−２．構成］
図１Ａ、図１Ｂは、実施の形態１におけるユーザ検知装置の外観図、図２は、実施の形態１におけるユーザ検知装置のブロック図である。
【００１４】
図１Ａにおいて、ユーザ検知装置（電子機器）１は、タッチパネルを内蔵し、上面にディスプレイを有するテーブル１ａと地面（床）に配置されたマット１ｂにより構成されている。ディスプレイは必ずしも必要ではなく、上面をスクリーンとしてプロジェクタ等で上面に情報を表示してもよい。テーブル１ａは脚部１ｃを有する。本実施形態では、脚部１ｃはユーザ毎に設けているものとする（座る位置毎に設けているものとする）。接続電極の特徴について詳しくは後述する。テーブル１ａは、制御部１０３を有する（図示せず）。制御部１０３の動作について詳しくは後述する。マット１ｂは、複数のマットにより構成され、ユーザの足元に配置されている。本実施形態では、マット１ｂはユーザ毎に設けているものとする（座る位置毎に設けているものとする）。
【００１５】
図１Ｂにおいて、脚部１ｃはタッチパネル１０１を床上で支持している。脚部１ｃ内を電線１ｄが通っている。電線１ｄは脚部１ｃ内を通ることなく脚部１ｃ外に位置してもよいが、脚部１ｃ内を通ることにより電線１ｄがユーザの足元に位置することがなくなり、ユーザが操作するときに足元を気にする必要がなくなる。また、電線１ｄが脚部１ｃ内を通ることにより、テーブル１ａを移動させるときに電線１ｄを気にする必要がなくなる。
【００１６】
図１Ｃは、実施の形態１におけるテーブル１ａの脚部１ｃと、マット１ｂとの接続方法の一例を示す図である。脚部１ｃは、その底面に接続電極１ｅｃを有する。電線１ｄは、制御部１０３と接続電極１ｅｃとを電気的に接続する。脚部１ｃは、電線１ｄにより制御部１０３と接続された接続電極１ｅｃを有する。接続電極１ｅｃには、例えば金属が用いられた端子が用いられる。接続電極１ｅｃは、金属端子がむき出しでもよいが、本実施の形態では、絶縁体１ｆｃで覆われている。マット１ｂは、マット電極８を有する。マット電極８には、金属からなる端子が用いられる。マット電極８は、金属端子がむき出しでもよいが、本実施の形態では、絶縁体１ｆｂで覆われている。接続電極１ｅｃやマット電極８を、金属端子剥き出しではなく、絶縁体で覆うことで、金属端子の汚れや酸化等を抑制することができる。
【００１７】
マット１ｂ上の適切な位置に脚部１ｃが載置されると、接続電極１ｅｃとマット電極８は容量結合により、電気的に接続される。接続電極１ｅｃまたはマット電極８のいずれか一方のみが絶縁体で覆われていない場合も、同様に容量結合する。接続電極１ｅｃおよびマット電極８のいずれもが絶縁体で覆われていない場合は、端子同士が直接的に接触することで導通し、電気的に接続される。
【００１８】
ユーザは、椅子に座る等して、マット１ｂに足をつけた状態で、テーブル１ａをタッチしてテーブル１ａに表示される情報を操作する。なお、ユーザ検知装置１は、複数のユーザが同時に操作可能となっている。
【００１９】
また、図１では、ディスプレイをテーブル１ａに内蔵しているため、座って操作しているが、立って操作するようにしてもよい。
【００２０】
上記のように構成されたユーザ検知装置１は、例えば、図２に示すように、タッチパネル１０１、検知部１０２、制御部１０３により構成される。
【００２１】
タッチパネル１０１は、例えば、ディスプレイ２およびセンサ３を有する。検知部１０２は、例えば、センサ制御部４、送信部５、受信部６、選択部７を有する。制御部１０３は、例えば、検知部１０２、コンテンツ制御部９を有する。
【００２２】
ディスプレイ２は、テーブル１ａの上面に配置され、コンテンツ制御部９から画像等の情報を表示する。
【００２３】
センサ３は、格子状に形成された電極を有し、ディスプレイ２の上面に配置され、保護ガラスと一体となっている。
【００２４】
センサ制御部４は、送信部５、受信部６を介してセンサ３におけるユーザの操作を検知し、その検知したセンサ３上の位置情報（座標）等をコンテンツ制御部９に送信する。また、マット電極８の接続先を送信部５または受信部６に切り替えるために選択部７に対し指示する。
【００２５】
送信部５は、センサ制御部４の指示に基づいて、センサ３に対してパルス等の所定のパターンの信号を送信し、受信部６にてセンサ３からの信号を受信し、その信号をセンサ制御部４に送信する。
【００２６】
選択部７は、センサ制御部４の指示を受けて、マット電極８の接続先を送信部５または受信部６に切り替える。
【００２７】
マット電極（床電極）８は、マット１ｂに設けられた検知電極であり、それぞれのマット１ｂ毎に設けられている。なお、このマット１ｂには、グランドが設けられており、このグランドとマット電極８との間に所定の容量を形成している。
【００２８】
なお、このマット電極８の大きさは、使用環境に応じて自由に決めることができ、このマット電極８を用いてユーザを特定する場合には、例えば５０ｃｍ×５０ｃｍのような一人のユーザのみしか接触できない大きさが好ましい。ただし、ユーザが操作中に移動することが考えられる場合には、例えば移動方向に拡張した５０ｃｍ×１００ｃｍのような大きさが好ましい。主に子どもが操作することが想定される場合には、例えば少し小さめの３０ｃｍ×３０ｃｍのような大きさが好ましい。
【００２９】
コンテンツ制御部９は、全体の制御を行う制御部であり、センサ制御部４からの情報に基づき表示するコンテンツを決定し、ディスプレイ２に対して表示するコンテンツデータを送信する。これによってユーザは、ディスプレイ２に表示されているコンテンツに対してタッチ操作が可能となる。具体的には、コンテンツ位置を変更したり、拡大縮小したり、別のコンテンツ情報を取得したりすることが可能となる。
【００３０】
なお、コンテンツ制御部９は、テーブル１ａ内に設けてもよいし、テーブル１ａの外部に設けてもよい。また、ＰＣ等の汎用の端末であってもよい。
【００３１】
センサ３、マット電極８の詳細について図３Ａを用いて説明する。図３Ａは、実施の形態１におけるユーザ検知装置の詳細図である。
【００３２】
センサ３は上述したように格子上に形成された複数の電極からなるセンサであり、送信部５の出力Ｔｘ１〜Ｔｘ５にそれぞれ接続される送信電極と、受信部６の入力Ｒｘ１〜Ｒｘ８にそれぞれ接続される受信電極とから構成される。送信電極と受信電極は、それぞれ任意の数設けてよい。
【００３３】
また、マット電極８は複数存在し、任意の数設けてよいが、図３Ａでは３つのマット電極８ａ、８ｂ、８ｃを設けている。
【００３４】
それぞれのマット電極８ａ、８ｂ、８ｃは選択部７を介して、送信部５と受信部６に接続されており、具体的には、マット電極８ａは、送信部５の出力Ｔｘ６と受信部６の入力Ｒｘ９と選択部を介して接続され、マット電極８ｂは、送信部５の出力Ｔｘ７と受信部６の入力Ｒｘ１０と選択部を介して接続され、マット電極８ｃは、送信部５の出力Ｔｘ８と受信部６の入力Ｒｘ１１と選択部を介して接続されている。なお、マット電極８は、選択部７のスイッチにより送信部５または受信部６のどちらかに電気的に接続される。
【００３５】
なお、マット電極８が接続される送信部５の出力、および受信部６の入力は、センサ３で用いられる入出力の一部を流用することが好ましいが、別途マット電極８のために設けてもよい。別途設ける場合においても、センサ３とマット電極８との結果は、センサ制御部４において判断される。
【００３６】
ここで、マット電極８ａ、８ｂ、８ｃは、それぞれＩＤ１、ＩＤ２、ＩＤ３が対応付けられている。
【００３７】
図３Ｂは、マット電極８がＴｘ側（図では一例としてＴｘ８）に接続された場合の実施の形態１におけるユーザ検知装置の模式図である。Ｔｘとユーザとの間の静電容量をＣ１、マット電極８と接続電極１ｅｃとの間の静電容量をＣ２、ユーザとマット電極８との間の静電容量をＣ３としている。
【００３８】
図３Ｃは、マット電極８がＴｘ側（図では一例としてＴｘ８）に接続された場合の実施の形態１におけるユーザ検知装置の回路図である。送信部５、脚部１ｃ内の電線１ｄ、接続電極１ｅｃ、マット電極８、ユーザ９０１、受信部６が直列に接続されている。接続電極１ｅｃとマット電極８を容量結合したことによる影響について説明する。Ｃ１を構成する面はユーザ９０１の指とセンサ３との接触面である。Ｃ２を構成する面は接続電極１ｅｃ（つまり脚部１ｃの裏面）とマット電極８との接触面である。Ｃ３を構成する面はユーザ９０１の足の裏とマット電極８との接触面である。ユーザ９０１の指がセンサ３に接触する面積は、接続電極１ｅｃ（つまり脚部１ｃの裏面）や９０１の足の裏がマット電極８と接触する面積よりも十分小さい。したがって、Ｃ１はＣ２、Ｃ３に対して非常に小さい。図３Ｃの回路の合成容量Ｃは、Ｃ＝Ｃ１＊Ｃ２＊Ｃ３／（Ｃ１＊Ｃ２＋Ｃ２＊Ｃ３＋Ｃ３＊Ｃ１）となる。よって、Ｃ≒Ｃ１という近似が成立する。つまり、接続電極１ｅｃとマット電極８を導通ではなく、容量結合しても、回路への影響は少ないということになる。
【００３９】
図３Ｄは、マット電極８がＲｘ側（図では一例としてＲｘ９）に接続された場合の実施の形態１におけるユーザ検知装置の回路図である。ここで、Ｒｘとユーザとの間の静電容量をＣ４としている（Ｃ２、Ｃ３は先述の通り）。送信部５、ユーザ９０１、マット電極８、接続電極１ｅｃ、脚部１ｃ内の電線１ｄ、受信部６が直列に接続されている。接続電極１ｅｃとマット電極８を容量結合したことによる影響について説明する。Ｃ４を構成する面はユーザ９０１の指とセンサ３との接触面である（Ｃ２を構成する面、Ｃ３を構成する面は先述の通り）。ユーザ９０１の指がセンサ３に接触する面積は、接続電極１ｅｃ（つまり脚部１ｃの裏面）や９０１の足の裏がマット電極８と接触する面積よりも十分小さい。したがって、Ｃ４はＣ２、Ｃ３に対して非常に小さい。したがって、Ｃ４はＣ２、Ｃ３に対して非常に小さい。図３Ｄの回路の合成容量Ｃは、Ｃ＝Ｃ４＊Ｃ２＊Ｃ３／（Ｃ４＊Ｃ２＋Ｃ２＊Ｃ３＋Ｃ３＊Ｃ４）となる。よって、Ｃ≒Ｃ４という近似が成立する。つまり、接続電極１ｅｃとマット電極８を導通ではなく、容量結合しても、回路への影響はないということになる。
【００４０】
［１−３．動作］
以上のように構成されたユーザ検知装置１について、その動作を図４〜図８を用いて説明する。
【００４１】
図４は、実施の形態１における２人のユーザの位置とタッチ操作との関係を示した図である。図４では、ユーザ検知装置１とユーザＡ、ユーザＢを模式的に表している。なお、ユーザを２人としているが何人でもよい。
【００４２】
ユーザＡはマット電極８ａ（ＩＤ１）上に位置し、センサ３中のタッチＡ（ｘ軸方向としては受信部６の入力Ｒｘ２とＲｘ３とそれぞれ接続された受信電極の中間近傍、ｙ軸方向としては送信部５の出力Ｔｘ１とＴｘ２とそれぞれ接続された送信電極の中間近傍）をタッチしている。
【００４３】
また、ユーザＢはマット電極８ｃ（ＩＤ３）上に位置し、センサ３中のタッチＢ（ｘ軸方向としては受信部６の入力Ｒｘ７と接続された受信電極上、ｙ軸方向としては送信部５の出力Ｔｘ５と接続された送信電極上）をタッチしている。
【００４４】
上記タッチ操作が行われた場合のユーザ検知装置１の動作について、図５を用いて説明する。図５は、実施の形態１におけるユーザ検知装置の動作タイミング図である。
【００４５】
まず送信部５は、センサ制御部４の指示に基づいて、センサ３の送信電極と接続されている出力Ｔｘ１から順に、Ｔｘ２、Ｔｘ３、Ｔｘ４、Ｔｘ５と順次所定パルスを出力する。この所定パルスは、それぞれの出力タイミングを変えることで出力毎（Ｔｘ１、Ｔｘ２、・・・）に一意に識別できるようにしているが、複数のパルスを組み合わせ、同じタイミング出力し、出力毎（Ｔｘ１、Ｔｘ２、・・・）に一意に識別するようにしてもよい。
【００４６】
この期間においては、センサ制御部４は、選択部７においてマット電極８ａ、８ｂ、８ｃと受信部６の入力Ｒｘ９、Ｒｘ１０、Ｒｘ１１とがそれぞれ接続されるように制御する。
【００４７】
この時、受信部６のセンサ３の受信電極と接続されているＲｘ１〜Ｒｘ８入力には、所定パルスに対応したセンサ３の各交点容量に応じた受信信号レベルが検出されるため、ユーザＡのタッチしたタッチＡ、ユーザＢのタッチしたタッチＢに対応する受信信号レベル（破線枠α内にて実線で記載）はタッチしてないときの受信信号レベル（破線枠α内にて破線で記載）より減少する。この受信信号レベルに基づいて、センサ制御部４はタッチＡ、タッチＢのそれぞれのタッチ座標（ｘ，ｙ）を算出する。
【００４８】
このとき、受信信号レベルの減少率は、電極に近いほど大きくなる。つまり、電極上をタッチされている電極に接続されている受信部６の入力ＲＸ７が最も減少率が大きくなっている。
【００４９】
さらに、ユーザＡがタッチＡにタッチしているため、送信部５の出力Ｔｘ１とＴｘ２にそれぞれ接続された送信電極に供給される所定パルスをユーザＡのタッチした指および人体を介して、マット電極８ａ、選択部７、受信部６の入力Ｒｘ９にて、破線枠β内の左上に実線にて示すような信号として検出する。
【００５０】
同様にユーザＢがタッチＢにタッチしているため、送信部５の出力Ｔｘ５に接続された送信電極に供給される所定パルスをユーザＢのタッチした指および人体を介して、マット電極８ｃ、選択部７、受信部６のＲｘ１１にて、破線枠β内の右下に実線にて示すような信号として検出する。なお、破線枠β内の同箇所の破線はタッチされてない場合の状態を示す。
【００５１】
このとき、受信信号レベルの増加は、電極に近いほど大きくなる。つまり、電極上をタッチされている電極に接続されている送信部５の出力Ｔｘ５が出力されている時の受信レベルが最も大きくなる。
【００５２】
Ｔｘ５に引き続いて、送信部５は、Ｔｘ６、Ｔｘ７、Ｔｘ８と順次所定パルス出力する。この期間においては、センサ制御部４は、選択部７においてマット電極８ａ、８ｂ、８ｃと送信部５の出力Ｔｘ６、Ｔｘ７、Ｔｘ８とがそれぞれ接続されるように制御する。
【００５３】
この時、Ｔｘ６から供給される所定パルスは、選択部７、マット電極８ａ、ユーザＡ人体およびタッチした指を介してセンサ３の受信部６のＲｘ２およびＲｘ３と接続される受信電極に伝送され、受信部６は破線枠γ内の左上の実線に示す信号を検出する。なお、破線枠γ内の同箇所の破線はタッチされてない場合の状態を示す。
【００５４】
同様にＴｘ８から供給される所定パルスは、選択部７、マット電極８ｃ、ユーザＢ人体およびタッチした指を介してセンサ３の受信部６のＲｘ６、Ｒｘ７およびＲｘ８と接続される受信電極に伝送され、受信部６は破線枠γ内の右下の実線に示す信号を検出する。同様に破線枠γ内の同箇所の破線はタッチされてない場合の状態を示す。
【００５５】
このとき、受信信号レベルの増加は、電極に近いほど大きくなる。つまり、電極上をタッチされている電極に接続されている受信部６の入力ＲＸ７の受信レベルが最も大きくなる。
【００５６】
以上が１フレームに相当する動作タイミングであり、この動作を繰り返す。
【００５７】
このようにある任意のフレーム（第ｎフレーム）にて、センサ制御部４は、センサ３と接続されている送信部５のＴｘ１〜Ｔｘ５、および受信部６のＲｘ１〜Ｒｘ８とから構成される部分により、破線枠αに示す受信信号レベルに基づいて各ユーザのタッチ座標を算出する。この部分は通常の静電マトリクスセンサ型タッチパネルと同様である。
【００５８】
同時にセンサ制御部４は、送信部５のＴｘ１〜Ｔｘ５、これらと接続されているセンサ３の送信電極、タッチ操作しているユーザ自身の人体、マット電極８ａ、８ｂ、８ｃ、受信部６の入力Ｒｘ９、Ｒｘ１０、Ｒｘ１１とから構成される部分により、さらに情報を取得する。具体的には、破線枠βに示す受信信号レベルに基づいて各マット電極８に対応したＩＤと各ユーザのタッチ座標のｙ軸方向を算出する。
【００５９】
さらに、センサ制御部４は、送信部５のＴｘ６〜Ｔｘ８、マット電極８ａ、８ｂ、８ｃ、タッチ操作しているユーザ自身の人体、マット電極８ａ、８ｂ、８ｃ、受信部６の入力Ｒｘ１、Ｒｘ２、〜Ｒｘ８とから構成される部分により、さらに情報を取得する。具体的には、破線枠γに示す受信信号レベルに基づいてマット電極８に対応したＩＤとユーザのタッチ座標のｘ軸方向を算出する。
【００６０】
ここで、ユーザ検知装置の受信データのイメージについて図６を用いて、タッチ座標とユーザとの関連付けに関して説明する。図６は、実施の形態１におけるユーザ検知装置の受信データのイメージ図である。
【００６１】
図６は、第ｎフレームの一連の動作により、受信部６で得られる受信データのイメージを示したものであり、タッチされてない基準状態に対して、丸は変化があることを示し、その大きさは変化を示し、丸が大きいほど変化が大ききことを示す。また、丸が無い部分に関しては変化がない、つまりタッチされていないことを示す。
【００６２】
センサ制御部４は、図６中の破線枠α内に示す受信データに基づいて、タッチ座標を求める。この場合、隣接する複数の電極にまたがってほぼ同じ変化が検知されているため、タッチ座標（ｘ，ｙ）は（Ｒｘ２とＲｘ３に接続される受信電極の中間、Ｔｘ１とＴｘ２に接続される送信電極の中間）と算出される。
【００６３】
また、破線枠α内には、他の隣接する複数の電極にまたがって変化が検知されているが、周辺の変化に比べて中心の変化が十分大きいため、タッチ座標（ｘ，ｙ）は、（Ｒｘ７に接続される受信電極上、Ｔｘ５に接続される送信電極上）と算出され、破線枠α内に２つのタッチ座標が検出される。
【００６４】
なお、上記算出方法は、通常の静電センサ型タッチパネルと同様であり、算出方法は任意に決めてもよい。
【００６５】
なお、以後の説明では、それぞれの電極に対応するタッチ座標（ｘ，ｙ）をＲｘ、Ｔｘを用いて表す。具体的には、複数の電極の間にある場合、例えば、上記のようにＲｘ２とＲｘ３に接続される受信電極の中間である場合、Ｒｘ２Ｒｘ３と表し、Ｒｘ７に接続される受信電極上にある場合、Ｒｘ７と表す。例えば、上記の例では、（ｘ，ｙ）は、（Ｒｘ２Ｒｘ３，Ｔｘ１Ｔｘ２）および（Ｒｘ７，Ｔｘ５）となる。
【００６６】
また、センサ制御部４は、図６の破線枠β内に示す受信データに基づいて、ユーザＡ自身、マット電極８ａ（ＩＤ１）を介した受信部６の入力Ｒｘ９の受信データより、ＩＤ付きｙ座標（ＩＤ，ｙ）＝（１，Ｔｘ１Ｔｘ２）を算出する。
【００６７】
また、同様に図６の破線枠β内に示す受信データに基づいて、ユーザＢ自身、マット電極８ｃ（ＩＤ３）を介した受信部６の入力Ｒｘ１１の受信データより、ＩＤ付きｙ座標（ＩＤ，ｙ）＝（３，Ｔｘ５）を算出する。
【００６８】
続いてセンサ制御部４は、図６の破線枠γ内に示す受信データに基づいて、送信部５のＴｘ６、ユーザＡ自身、マット電極８ａ（ＩＤ１）、を介した受信部６のＲｘ１〜Ｒｘ８のデータより、ＩＤ付きｘ座標（ＩＤ，ｘ）＝（１，Ｒｘ２Ｒｘ３）を算出する。
【００６９】
また、同様に図６の破線枠γ内に示す受信データに基づいて、送信部５のＴｘ８、ユーザＢ自身、マット電極８ｃ（ＩＤ３）を介した受信部６を介した受信部６のＲｘ１〜Ｒｘ８のデータより、ＩＤ付きｘ座標（ＩＤ，ｘ）＝（３，Ｒｘ７）を算出する。
【００７０】
センサ制御部４は、上記それぞれの領域で検出したタッチ座標、ＩＤ付きｙ座標、ＩＤ付きｘ座標を組み合わせることで、ＩＤ付きタッチ座標を算出する。つまり、（ＩＤ、ｘ、ｙ）＝（１，Ｒｘ２Ｒｘ３，Ｔｘ１Ｔｘ２）、（ＩＤ、ｘ、ｙ）＝（３、Ｒｘ７，Ｔｘ）となる２組のＩＤ付きｘｙ座標を算出する。
【００７１】
このＩＤ付きｘｙ座標と一致するタッチ座標を紐付けることで、タッチ座標にＩＤを紐付けることができる。具体的には、ＩＤ付きタッチ座標（ＩＤ、ｘ、ｙ）＝（１，Ｒｘ２Ｒｘ３，Ｔｘ１Ｔｘ２）、（ＩＤ、ｘ、ｙ）＝（３、Ｒｘ７，Ｔｘ５）となる。
【００７２】
これにより複数ユーザがタッチ操作したそれぞれの座標に対して、それぞれのユーザの操作位置、即ちマット電極８に対応したＩＤを紐付けることができる。特に、マット電極８にユーザが関連付けられている場合、このＩＤをユーザの識別情報として用いることもできる。
【００７３】
なお、このＩＤ付きタッチ座標は、コンテンツ制御部９に送信され、コンテンツ制御部９は、ＩＤ付きタッチ座標に基づきディスプレイ２に表示するコンテンツを決定する。
【００７４】
さらに理解を深めるため図７に示すように、ユーザ検知装置１において、一人のユーザＣがマット電極８ａ（ＩＤ１）およびマット電極８ｂ（ＩＤ２）上にまたがって位置し、図４と同じセンサ３中のタッチＣおよびタッチＤをタッチした場合についての動作を説明する。
【００７５】
上記タッチ操作が行われた場合のユーザ検知装置１の動作タイミングについては、図５と基本的には同じため説明を省略し、図８に図６と同様の受信データのイメージ図を用いて説明する。
【００７６】
センサ制御部４は、図８中の破線枠α内に示す受信データに基づいて、（ｘ，ｙ）＝（Ｒｘ２Ｒｘ３，Ｔｘ１Ｔｘ２）および（ｘ，ｙ）＝（Ｒｘ７，Ｔｘ５）の２つのタッチ座標を算出する。
【００７７】
同時にセンサ制御部４は、破線枠β内に示す受信データに基づいて、ユーザＣ自身、マット電極８ａ（ＩＤ１）を介した受信部６の入力Ｒｘ９の受信データより、ＩＤ付きｙ座標（ＩＤ，ｙ）＝（１，Ｔｘ１Ｔｘ２）、（１，Ｔｘ５）を算出する。
【００７８】
また、ユーザＣ自身、マット電極８ｂ（ＩＤ２）を介した受信部６の入力Ｒｘ１０の受信データより、ＩＤ付きｙ座標（ＩＤ，ｙ）＝（２，Ｔｘ１Ｔｘ２）、（２，Ｔｘ５）を算出する。
【００７９】
続いてセンサ制御部４は、破線枠γ内に示す受信データに基づいて、送信部５のＴｘ６、ユーザＣ自身、マット電極８ａ（ＩＤ１）、を介した受信部６のＲｘ１〜Ｒｘ８のデータより、ＩＤ付きｘ座標（ＩＤ，ｘ）＝（１，Ｒｘ２Ｒｘ３）、（１，Ｒｘ７）を算出する。
【００８０】
また、送信部５のＴｘ７、ユーザＣ自身、マット電極８ｂ（ＩＤ２）、を介した受信部６のＲｘ１〜Ｒｘ８の受信データより、ＩＤ付きｘ座標（ＩＤ，ｘ）＝（２，Ｒｘ２Ｒｘ３）、（２，Ｒｘ７）を算出する。
【００８１】
上記算出した座標データに対してセンサ制御部４は、ＩＤ付きｘ座標とＩＤ付きｙ座標からＩＤを共通項として、（ＩＤ，ｘ，ｙ）＝（１，Ｒｘ２Ｒｘ３，Ｔｘ１Ｔｘ２）、（ＩＤ，ｘ，ｙ）＝（２，Ｒｘ２Ｒｘ３，Ｔｘ１Ｔｘ２）、（ＩＤ，ｘ，ｙ）＝（１、Ｒｘ７，Ｔｘ５）、（ＩＤ，ｘ，ｙ）＝（２，Ｒｘ７，Ｔｘ５）となる４組のＩＤ付きｘｙ座標を算出する。
【００８２】
ここで、ＩＤ付きｘ座標とＩＤ付きｙ座標とよりＩＤを共通項として算出したＩＤ付き座標に関しては（ＩＤ，ｘ，ｙ）＝（１、Ｒｘ２Ｒｘ３，Ｔｘ５）や（ＩＤ，ｘ，ｙ）＝（１，Ｒｘ７，Ｔｘ１Ｔｘ２）等の組み合わせも存在するが、これらのＩＤ付きｘｙ座標は、いずれもタッチ座標に存在しないためここでは算出されない。
【００８３】
最後に、センサ制御部４は、上記４組のＩＤ付きｘｙ座標において、その座標が２つのタッチ座標といずれかと同じになるため、同じであるタッチ座標にそのＩＤを付与する。
【００８４】
これにより、タッチＣのタッチ座標にＩＤ１およびＩＤ２を、タッチＩＤのタッチ座標にＩＤ１およびＩＤ２を紐付けることができる。
【００８５】
上記の結果からマット電極８ａ、８ｂの位置で両方操作した、つまり一人のユーザがマット電極８ａ、８ｂにまたがって２つのタッチ操作をしたと判断できる。
【００８６】
［１−３．効果等］
以上のように、実施の形態１によれば、タッチパネルの構成を利用しつつ、ユーザのタッチパネル上のタッチ座標に加えて、ユーザの操作位置を検知することができる。つまり、簡単な構成で、ユーザの操作（タッチ座標と操作位置）を検知することができるので、複数のタッチ操作を区別することができ、ユーザの識別等に利用することができる。
【００８７】
（実施の形態２）
以下、図９〜図１０を用いて、実施の形態２を説明する。実施の形態２は、設置や移動が簡単な構成で、ユーザの操作を検知することができるユーザ検知装置を示している。ユーザ検知装置は、テーブル１ａおよびマット１ｂの構成が異なる点を除き、実施の形態１とほぼ同じであるため詳細な説明は省略する。
【００８８】
［２−１．構成］
図９は、実施の形態２におけるユーザ検知装置の外観図である。図９は、実施の形態２におけるユーザ検知装置の説明図である。本実施の形態におけるユーザ検知装置は、マット１ｂが１枚で構成されている。これにより、１枚のマットを敷けばよいだけになり、ユーザ検知装置の設置が簡単になる。
【００８９】
図１０は、実施の形態２におけるマット１ｂの外観図である。マット１ｂには、４つのマット電極８が設置されている。本実施の形態では、マット電極を４つとしたが、これに限らずユーザの数に応じて２つや３つでもよいし、５つ以上でもよい。マット１ｂに４つのマット電極が設置されており、１枚のマット１ｂで実施の形態１における４枚のマット１ｂと同等の働きを行う。マット電極８は、マット１ｂの上表面（図１０で示される面）に設置されてもよいし、マット１ｂの裏面（図１０で見えていない面）に設置されてもよいし、内部に埋め込まれていてもよい。
【００９０】
［２−２．動作］
以上のように構成された実施の形態２に関するユーザ検知装置の動作は、実施の形態１と同様であるので、説明は省略する。
【００９１】
［２−３．効果等］
以上のように、実施の形態２によれば、ユーザ検知装置を簡単に設置や移動させることができる。
【００９２】
（他の実施の形態）
以上のように、本出願において開示する技術の例示として、実施の形態１〜実施の形態２を説明した。しかしながら、本開示における技術は、これに限定されず、変更、置き換え、付加、省略などを行った実施の形態にも適用できる。
【００９３】
そこで、以下、他の実施の形態を例示する。
【００９４】
実施の形態１〜実施の形態２では、ユーザ検知装置１は、脚部１ｃを複数有したが、図１１に示すように、脚部１ｃは、１つのみ有してもよい。その場合、安定を保つため、脚部１ｃの床に接する面を、脚部１ｃのその他の断面よりも大きくしてもよい。脚部１ｃを１つのみ有する場合、１つの脚部１ｃに複数の接続電極１ｅｃを有する。複数の接続電極１ｅｃが別々のマット電極８と容量結合または導通されることにより、実施の形態１〜実施の形態２と同様の効果を得ることができる。
【００９５】
実施の形態１〜実施の形態２では、接続電極１ｅｃは脚部１ｃの底面に設けられたがこれに限らない。脚部１ｃの側面に設けられてもよい。その場合、脚部１ｃをマット１ｂ上に載置した後、マット電極８と接続電極１ｅｃを、コードなどで接続することになる。また、マット電極の一部を脚部１ｃの側面と水平な向きとする構成をとってもよい。これらの構成でも、設置や移動の簡単さは失われない。
【００９６】
実施の形態１〜実施の形態２では、センサ３として正方形の格子状の電極を用いたが、座標を検知することができれば、長方形、ひし形等の別の形状であってもよい。
【００９７】
また、実施の形態１〜実施の形態２では、マット電極８の上にユーザが存在する場合を例に説明したが、ユーザが存在しない場合も、マット電極８の出力が検知されないため識別することができる。
【００９８】
なお、上述の実施の形態は、本開示における技術を例示するためのものであるから、特許請求の範囲またはその均等の範囲において種々の変更、置き換え、付加、省略などを行うことができる。
【産業上の利用可能性】
【００９９】
本開示は、タッチパネル等に適用可能であり、教育、ゲーム等の様々な分野で利用可能である。
【符号の説明】
【０１００】
１  ユーザ検知装置
１ａ  テーブル
１ｂ  マット
１ｃ  脚部
１ｅｃ  接続電極
２    ディスプレイ
３    センサ
４    センサ制御部
５    送信部
６    受信部
７    選択部
８、８ａ、８ｂ、８ｃ    マット電極
９    コンテンツ制御部
【図１Ａ】
2019191632.tif 000003
【図１Ｂ】
2019191632.tif 000004
【図１Ｃ】
2019191632.tif 000005
【図２】
2019191632.tif 000006
【図３Ａ】
2019191632.tif 000007
【図３Ｂ】
2019191632.tif 000008
【図３Ｃ】
2019191632.tif 000009
【図３Ｄ】
2019191632.tif 000010
【図４】
2019191632.tif 000011
【図５】
2019191632.tif 000012
【図６】
2019191632.tif 000013
【図７】
2019191632.tif 000014
【図８】
2019191632.tif 000015
【図９】
2019191632.tif 000016
【図１０】
2019191632.tif 000017
【図１１】
2019191632.tif 000018